(57)【特許請求の範囲】
【請求項１】
隣り合う外壁パネルの小口間に形成される目地に装着される目地カバーにおいて、上記目地内に挿入されて各小口に係止される係止片部を有する係止部材と、上記係止部材の屋外側に位置して上記目地を覆う本体部材と、を備えており、
一方の係止片部には、上記外壁パネルの屋外面側から小口の方に回り込んで係止する反し部が形成されていることを特徴とする目地カバー。
【請求項２】
請求項１に記載の目地カバーにおいて、上記係止部材と上記本体部材とが接合されていることを特徴とする目地カバー。
【請求項３】
請求項１に記載の目地カバーにおいて、上記係止部材と上記本体部材とが分離可能に連結されていることを特徴とする目地カバー。
【請求項４】
請求項１〜請求項３のいずれか１項に記載の目地カバーが用いられた外壁構造であって、上記外壁パネルは、芯材が金属製板で挟まれたサンドイッチパネルからなり、この外壁パネルの小口に存在する上記金属製板の縁によって上記係止片部が係止されることを特徴とする外壁構造。
【請求項５】
請求項１〜請求項３のいずれか１項に記載の目地カバーが用いられた外壁構造であって、外壁の入隅箇所で目地を形成する一方の外壁パネルの小口に、上記反し部が係止されることを特徴とする外壁構造。
【請求項６】
隣り合う外壁パネルの小口間に形成される目地に装着され、上記目地内に挿入されて各小口に係止される係止片部を有する係止部材と、上記係止部材の屋外側に位置して上記目地を覆う本体部材と、を備える目地カバーが用いられた外壁構造であって、
外壁の出隅箇所となる位置に設けられたコーナー部をなす外壁パネルの小口とその隣に位置する外壁パネルの小口との間に形成される目地に上記目地カバーが設けられており、上記コーナー部をなす外壁パネルの小口には上記係止片部が係止される突出部が形成されていることを特徴とする外壁構造。
【請求項７】
隣り合う外壁パネルの小口間に形成される目地に装着され、上記目地内に挿入されて各小口に係止される係止片部を有する係止部材と、上記係止部材の屋外側に位置して上記目地を覆う本体部材と、を備える目地カバーが用いられた外壁構造であって、
上記外壁パネルは、芯材が金属製板で挟まれたサンドイッチパネルからなり、この外壁パネルの小口に存在する上記金属製板の縁が上記係止片部と上記本体部材とで挟持されることを特徴とする外壁構造。
【請求項８】
請求項７に記載の外壁構造において、上記目地カバーは、上記係止部材と上記本体部材とが接合されているか、または上記係止部材と上記本体部材とが螺子で連結されて当該螺子の軸方向に上記係止部材が移動可能になっており、且つ、上記係止部材と上記本体部材とが接触する状態の当該目地カバーの自然状態で、上記本体部材の先端が、上記係止部材の先端よりも屋内側に位置することを特徴とする外壁構造。
【発明の詳細な説明】
【技術分野】
【０００１】
この発明は、外壁パネルの目地を覆う目地カバーおよびこの目地カバーを用いた外壁構造に関する。
【背景技術】
【０００２】
特許文献１には、左右に隣り合って配置される両側の外装面材の裏面側縁部が建物の柱の前面に配置される止水構造が開示されている。この止水構造においては、一方が凹部で他方が凸部となる凹凸係合によって目地カバーを目地に取り付けるようになっている。
【０００３】
また、従来の目地構造として、図９に示すように、目地カバー９１を胴縁９２にビス９３によって固定する構造が知られている。さらに、図１０に示すように、目地カバー９４を外壁パネル９５にビス９６によって固定する構造も知られている。
【先行技術文献】
【特許文献】
【０００４】
【特許文献１】特開２０１４−０６６０３６号公報
【発明の概要】
【発明が解決しようとする課題】
【０００５】
しかしながら、上記特許文献１に開示の構造では、一方の側の凹部に他方の側の凸部を嵌めるため、互いの位置精度が十分に出ていないと、装着が行い難いという欠点がある。また、図９に示す従来構造では、胴縁９２にビス９３が貫通するため、止水処理が必要になる。また、図１０に示す従来構造では、目地カバー９４を外壁パネル９５にビス９６によって固定するため、地震等で外壁パネル９５が変位すると、この変位に目地カバー９４が追従できずに、目地カバー９４が破損し易いという欠点がある。
【０００６】
この発明は、上記の事情に鑑み、止水処理を不要にすることができ、外壁パネルの変位による破損が生じ難く、取り付けの作業性に優れる目地カバーおよび外壁構造を提供することを課題とする。
【課題を解決するための手段】
【０００７】
この発明の目地カバーは、上記の課題を解決するために、隣り合う外壁パネルの小口間に形成される目地に装着される目地カバーにおいて、上記目地内に挿入されて各小口に係止される係止片部を有する係止部材と、上記係止部材の屋外側に位置して上記目地を覆う本体部材と、を備えることを特徴とする。
【０００８】
上記の構成であれば、上記係止片部によって当該目地カバーが目地に係止されるため、取り付けの作業性に優れる。また、目地カバーを胴縁や柱にビスで留めることはしないので、止水処理が不要になる。また、目地カバーを外壁パネルにビスで留めることはしないので、外壁パネルの変位に起因する目地カバーの破損も生じ難い。
【０００９】
上記係止部材と上記本体部材とが接合されていてもよい。上記接合は、例えばリベット等によって行うことができるので、目地カバーの作製が容易である。
【００１０】
上記係止部材と上記本体部材とが分離可能に連結されていてもよい。これによれば、目地カバーを付け間違えた場合でも、上記係止部材と上記本体部材とを分離させることができるので、上記係止部材を目地から簡単に外すことができ、また、メンテナンスも容易になる。
【００１１】
上記本体部材は、上記目地内に入り込む凸状部位と上記外壁パネルの外面側に位置する張り出し部位とからなるハット形状を有してもよい。
【００１２】
一方の係止片部には、上記外壁パネルの屋外面側から小口の方に回り込んで係止する反し部を有してもよい。
【００１３】
また、この発明の外壁構造は、上記目地カバーが用いられた外壁構造であって、上記外壁パネルは、芯材が金属製板で挟まれたサンドイッチパネルからなり、この外壁パネルの小口に存在する上記金属製板の縁によって上記係止片部が係止されることを特徴とする。このようにサンドイッチパネルを用いると、特別な加工を施すことなく、上記金属製板の縁によって上記係止片部を係止することができる。
【００１４】
また、この発明の外壁構造は、上記目地カバーが用いられた外壁構造であって、外壁の出隅箇所となる位置に設けられたコーナー部をなす外壁パネルの小口とその隣に位置する外壁パネルの小口との間に形成される目地に上記目地カバーが設けられており、上記コーナー部をなす外壁パネルの小口には上記係止片部が係止される突出部が形成されていることを特徴とする。このように、外壁の出隅箇所においても、上記目地カバーを用いた目地処理が行える。
【００１５】
また、この発明の外壁構造は、上記反し部を有する目地カバーが用いられた外壁構造であって、外壁の入隅箇所で目地を形成する一方の外壁パネルの小口に、上記反し部が係止されることを特徴とする。このように、外壁の入隅箇所においても、上記目地カバーを用いた目地処理が行える。
【発明の効果】
【００１６】
本発明であれば、目地の止水処理を不要にでき、外壁パネルの変位に起因する破損が生じ難く、作業性にも優れるという効果を奏する。
【図面の簡単な説明】
【００１７】
【図１】この発明の実施形態の目地カバーおよび外壁構造を示した概略の縦断面図である。
【図２】図１のＡ−Ａ矢視の概略の断面図である。
【図３】図１の目地カバーおよび外壁構造の概略の正面図である。
【図４】図１の目地カバーの横断面の拡大図である。
【図５】他の実施形態の目地カバーの横断面の拡大図である。
【図６】図５の目地カバーを用いた外壁の出隅構造を示した説明図である。
【図７】他の実施形態の目地カバーの横断面の拡大図である。
【図８】図７の目地カバーを用いた外壁の出隅構造および螺子操作による目地カバーの変化を示した説明図である。
【図９】従来の目地カバーを用いた外壁構造を示した説明図である。
【図１０】従来の目地カバーを用いた外壁構造を示した説明図である。
【発明を実施するための形態】
【００１８】
以下、この発明の実施の形態を添付図面に基づいて説明する。
図１、図２および図３に示しているように、この実施形態にかかる外壁構造においては、左右に隣り合う外壁パネル１の小口（左右の側面部）１ａ間に形成される縦目地に、この実施形態にかかる目地カバー２が装着される。上記外壁パネル１は、例えば、発泡プラスチック等からなる芯材としての断熱材１１が屋内側の金属製板１２と屋外側の金属製板１３とで挟まれたサンドイッチパネルからなる。このサンドイッチパネルからなる外壁パネル１の小口１ａでは、上記断熱材１１が露呈している。また、上記外壁パネル１は、例えば、溝形鋼からなる胴縁３に、ドリルビス３１を用いて固定される。なお、上記断熱材１１は、耐火性等の他の特性を有していてもよい。
【００１９】
また、外壁パネル１の上端部および下端部には、凹凸部が形成されている。上下に配置される外壁パネル１は、上記凹凸部を互いに嵌合し合うことで、外壁面と直交する方向の移動が規制される。また、上記凹凸の嵌合によって、下側の外壁パネル１の上端側にねじ込まれた上記ドリルビス３１の頭部が、上側の外壁パネル１の下端側で隠される。
【００２０】
上記目地カバー２は、図４にも示すように、上記目地内に挿入されて各小口１ａに係止される係止片部２１ａを有する係止部材２１と、上記係止部材２１の屋外側に位置して上記目地を覆う本体部材２２とを備える。上記係止部材２１および上記本体部材２２は、例えば、金属製である。
【００２１】
また、上記係止部材２１および上記本体部材２２は、それぞれ目地の奥行き方向に直交する面部を有しており、両面部がリベット２３によって接合されている。上記係止部材２１は、例えば、５０ｍｍ程度の長さを有しており、上記係止部材２１の上記面部の幅は、例えば、２５ｍｍ程度とされる。また、上記本体部材２２は、例えば、外壁パネル１の長さが１０００ｍｍ程度であることから、継ぎ部の領域を考慮して１０３０ｍｍ程度の長さとされる。もちろん、これらの寸法は一例であり、このような寸法に限定されない。また、上記係止部材２１は、上記本体部材２２に、例えば、４個設けられるが、このような個数に限定されない。
【００２２】
上記係止部材２１は、弾性を有しており、上記係止片部２１ａの先端部の自然状態での間隔は、上記目地の幅よりも広く、また、屋外側にかけて徐々に広くなるように形成されている。そして、上記係止片部２１ａの先端部の間隔は、上記目地への挿入時には狭まり、目地内に入り込むと、弾性によって拡がることになる。上記係止部材２１が上記目地内に入り込んで拡がると、上記小口１ａの断熱材１１が上記係止片部２１ａに押されて変形し、この係止片部２１ａが上記屋外側の金属製板１３の縁に引っ掛かることになる。
【００２３】
上記本体部材２２は、上記目地内に入り込む凸状部位２２ａと、上記係止片部２１ａの先端部を越えて上記外壁パネル１の屋外側に位置する張り出し部位２２ｂとからなるハット形状を有する。また、上記本体部材２２も弾性を有しており、自然状態で、上記凸状部位２２ａは、屋外側にかけて徐々に広幅となるように形成されている。このため、上記凸状部位２２ａは、上記目地内に入ったときには、上記広幅（台形状）の状態から、略９０度の角度をなす直方形状に変化する。
【００２４】
上記張り出し部位２２ｂの縁の位置は、自然状態で、上記係止片部２１ａの先端よりも、屋内側に位置する。このため、上記係止部材２１が上記目地内に装着されると、屋外側の金属製板１３の縁部が、上記張り出し部位２２ｂの縁と上記係止片部２１ａの先端との間で挟まれることになる（図２参照）。また、上記張り出し部位２２ｂの縁側には、上記外壁パネル１側に折り曲げられた反し部２２ｃが形成されており、上記張り出し部位２２ｂの縁面が外側に露呈されないようにしている。
【００２５】
また、上記本体部材２２の長手方向の一方の端部側（例えば、下端側）では、上記反し部２２ｃは形成されておらず、また、幅が狭くされており、上下に隣り合う目地カバー２同士の接続が行われ易いようになっている（図３参照）。
【００２６】
上記の構成であれば、上記係止部材２１を目地内に挿入することで、上記係止片部２１ａによって当該目地カバー２が目地に係止されるため、取り付けの作業性に優れる。また、目地カバー２を胴縁や柱にビスで留めることはしないので、止水処理が不要になる。また、目地カバー２を外壁パネル１にビスで留めることはしないので、外壁パネル１の変位による目地カバー２の破損も生じ難い。
【００２７】
図５に他の実施形態の目地カバー２Ａを示す。上記目地カバー２との相違点を主に説明する。この目地カバー２Ａは、上記係止部材２１と上記本体部材２２とが接合および分離可能に螺子２４によって連結されている。上記螺子２４は上記係止部材２１の上記面部に螺合されており、上記本体部材２２の上記面部に形成された挿通孔に挿通されている。上記螺子２４の頭部と上記本体部材２２との間には、例えばゴム製のパッキンが設けられている。
【００２８】
上記目地カバー２Ａであれば、上記螺子２４を操作して、上記本体部材２２を上記係止部材２１から離脱させることができる。これにより、この目地カバー２Ａを付け間違えた場合でも、上記係止部材２１を目地から簡単に外すことができ、また、メンテナンスも容易になる。なお、上記螺子２４を利用して、上記本体部材２２と上記係止部材２１の間隔調整を行うことも可能である。
【００２９】
次に、図６に基づいて、上記目地カバー２Ａを用いた出隅となる外壁構造を説明していく。この外壁構造は、出隅箇所に設けられたコーナー部をなす外壁パネル４の小口４ａとその隣に位置する外壁パネル１の小口１ａとの間に形成される目地に上記目地カバー２Ａが設けられており、上記コーナー部をなす外壁パネル４の小口４ａには、上記係止部材２１の上記係止片部２１ａが係止される突出部４ｂが形成されている。上記小口４ａは、例えば、金属板からなり、上記係止片部２１ａに押されても変形せず、上記係止片部２１ａの先端は、上記突出部４ｂと上記小口４ａの交差する角部に位置することになる。なお、上記外壁パネル４は、ドリルビス４１によって柱５に固定され、上記外壁パネル１は、ドリルビス３１によって柱５に固定されている。
【００３０】
このように、外壁の出隅箇所において、上記目地カバー２Ａを用いた目地処理が行える。なお、出隅となる外壁構造の上記目地を、上記目地カバー２Ａではなく、上記目地カバー２を用いて塞ぐこともできる。
【００３１】
次に、図７および図８に基づいて、他の実施形態の目地カバー２Ｂおよび上記目地カバー２Ｂを用いた入隅となる外壁構造を説明していく。入隅となる外壁構造を形成する隣り合う外壁パネル１は、例えば９０度で交差しており、一方の外壁パネル１の小口１ａの端面の延長線が、他方の外壁パネル１の小口１ａの略中央側に位置するように設けられる。
【００３２】
上記目地カバー２Ｂにおける一方の係止片部２１ａの先端側には、上記外壁パネル１の屋外面側から小口の方に回り込んで係止する反し部２１ｂが折り曲げ形成されている。この例では、上記一方の係止片部２１ａは、上記係止部材２１の上記面部に対して屋内方向に突出し、この一方の係止片部２１ａの先端で上記反し部２１ｂが折り返している。また、上記係止部材２１は、上記反し部２１ｂが上記小口１ａを刺し、上記反し部２１ｂの折り返しの曲げ起点部が屋外側の金属製板１３の縁に引っ掛かる状態において、他方の係止片部２１ａの先端が他方の外壁パネル１の外側の金属製板１３の縁に当たるように形成されている。また、上記目地カバー２Ｂの上記本体部材２２は、ハット形状を有しておらず、上記凸状部位２２ａに対して曲げられずに上記張り出し部位２２ｂが形成されている。このように、外壁の入隅箇所においても、上記目地カバー２Ｂを用いた目地処理が行える。
【００３３】
上記目地カバー２Ｂにおいては、上記係止部材２１と上記本体部材２２とが、分離可能に螺子２４によって連結されているが、上記目地カバー２と同様、リベット２３によって上記面部同士が接合されていてもよい。ただし、図７に示したように、上記目地カバー２Ｂにおいては、上記係止部材２１と上記本体部材２２との間隔を開けた状態で目地に挿入することができるので、上記反し部２１ｂを上記屋外側の金属製板１３の縁に引っ掛けるのが容易になる。そして、このように引っ掛けた後に、螺子２４を回し、図８に示したように、上記係止部材２１と上記本体部材２２とを接合させることができる。
【００３４】
また、以上の実施形態では、外壁パネル１としてサンドイッチパネルを用いたが、上記係止片部２１ａが引っ掛かる部位が形成された他の構造の外壁パネルを用いることも可能である。
【００３５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００３６】
１      ：外壁パネル
１ａ    ：小口
２      ：目地カバー
２Ａ    ：目地カバー
２Ｂ    ：目地カバー
３      ：胴縁
４      ：外壁パネル
４ａ    ：小口
４ｂ    ：突出部
５      ：柱
１１    ：断熱材（芯材）
１２    ：金属製板
１３    ：金属製板
２１    ：係止部材
２１ａ  ：係止片部
２１ｂ  ：反し部
２２    ：本体部材
２２ａ  ：凸状部位
２２ｂ  ：張り出し部位
２３    ：リベット
２４    ：螺子
３１    ：ドリルビス
４１    ：ドリルビス
【図１】
0006654387.tif 000002
【図２】
0006654387.tif 000003
【図３】
0006654387.tif 000004
【図４】
0006654387.tif 000005
【図５】
0006654387.tif 000006
【図６】
0006654387.tif 000007
【図７】
0006654387.tif 000008
【図８】
0006654387.tif 000009
【図９】
0006654387.tif 000010
【図１０】
0006654387.tif 000011